(57)【特許請求の範囲】
【請求項１】
使用可能な複数の記録方式を有し、複数の記録方式の内の１つで所定のデータを所定の記録媒体に記録する記録手段と、
データの記録先である記録媒体に既に記録されているデータに関する情報を用いて、前記記録手段が用いる記録方式を設定する設定手段と、から構成され、
前記設定手段は、データの記録先である記録媒体に既に記録されているデータについて、同一の記録方式で記録されたデータの数を計数する計数手段と、
前記計数手段の計数結果から、データの数が最も多い記録方式を検出する方式検出手段と、
前記方式検出手段が検出した記録方式で記録されたデータの中から、記録日時が最も新しいデータを検出する第１データ検出手段と、
前記方式検出手段が検出した記録方式が単数存在する場合には、前記方式検出手段が検出した記録方式を、前記記録手段がデータを記録する際の記録方式として決定し、前記方式検出手段が検出した記録方式が複数存在する場合には、前記第１データ検出手段が検出したデータの記録方式を、前記記録手段がデータを記録する際の記録方式として決定する第１方式決定手段と、
を備える、ことを特徴とするデータ記録装置。
【請求項２】
使用可能な複数の記録方式を有し、複数の記録方式の内の１つで所定のデータを所定の記録媒体に記録する記録手段と、
データの記録先である記録媒体に既に記録されているデータに関する情報を用いて、前記記録手段が用いる記録方式を設定する設定手段と、から構成され、
前記設定手段は、データの記録先である記録媒体に既に記録されているデータについて、同一の記録方式で記録されたデータの数を計数する計数手段と、
前記計数手段の計数結果から、データの数が最も多い記録方式を検出する方式検出手段と、
データの記録先である記録媒体に既に記録されている全てのデータの中から、記録日時が最も新しいデータを検出する第２データ検出手段と、
前記方式検出手段が検出した記録方式が単数存在する場合には、前記方式検出手段が検出した記録方式を、前記記録手段がデータを記録する際の記録方式として決定し、前記方式検出手段が検出した記録方式が複数存在する場合には、前記第２データ検出手段が検出したデータの記録方式を、前記記録手段がデータを記録する際の記録方式として決定する第２方式決定手段と、
を備える、ことを特徴とするデータ記録装置。
【請求項３】
使用可能な複数の記録方式を有し、複数の記録方式の内の１つで所定のデータを所定の記録媒体に記録する記録工程と、
データの記録先である記録媒体に既に記録されているデータに関する情報を用いて、前記記録工程で用いる記録方式を設定する設定工程と、を備え、
前記設定工程は、データの記録先である記録媒体に既に記録されているデータについて、同一の記録方式で記録されたデータの数を計数する計数工程と、
前記計数工程の計数結果から、データの数が最も多い記録方式を検出する方式検出工程と、
前記方式検出工程で検出した記録方式で記録されたデータの中から、記録日時が最も新しいデータを検出する第１データ検出工程と、
前記方式検出工程で検出した記録方式が単数存在する場合には、前記方式検出工程で検出した記録方式を、前記記録工程でデータを記録する際の記録方式として決定し、前記方式検出工程で検出した記録方式が複数存在する場合には、前記第１データ検出工程で検出したデータの記録方式を、前記記録工程でデータを記録する際の記録方式として決定する第１方式決定工程と、
を備える、ことを特徴とするデータ記録方法。
【請求項４】
使用可能な複数の記録方式を有し、複数の記録方式の内の１つで所定のデータを所定の記録媒体に記録する記録工程と、
データの記録先である記録媒体に既に記録されているデータに関する情報を用いて、前記記録工程で用いる記録方式を設定する設定工程と、を備え、
前記設定工程は、データの記録先である記録媒体に既に記録されているデータについて、同一の記録方式で記録されたデータの数を計数する計数工程と、
前記計数工程の計数結果から、データの数が最も多い記録方式を検出する方式検出工程と、
データの記録先である記録媒体に既に記録されている全てのデータの中から、記録日時が最も新しいデータを検出する第２データ検出工程と、
前記方式検出工程で検出した記録方式が単数存在する場合には、前記方式検出工程で検出した記録方式を、前記記録工程でデータを記録する際の記録方式として決定し、前記方式検出工程で検出した記録方式が複数存在する場合には、前記第２データ検出工程で検出したデータの記録方式を、前記記録工程でデータを記録する際の記録方式として決定する第２方式決定工程と、
を備える、ことを特徴とするデータ記録方法。
【請求項５】
コンピュータを、
使用可能な複数の記録方式を有し、複数の記録方式の内の１つで所定のデータを所定の記録媒体に記録する記録手段と、
データの記録先である記録媒体に既に記録されているデータに関する情報を用いて、前記記録手段が用いる記録方式を設定する設定手段と、から構成され、
前記設定手段は、データの記録先である記録媒体に既に記録されているデータについて、同一の記録方式で記録されたデータの数を計数する計数手段と、
前記計数手段の計数結果から、データの数が最も多い記録方式を検出する方式検出手段と、
前記方式検出手段が検出した記録方式で記録されたデータの中から、記録日時が最も新しいデータを検出する第１データ検出手段と、
前記方式検出手段が検出した記録方式が単数存在する場合には、前記方式検出手段が検出した記録方式を、前記記録手段がデータを記録する際の記録方式として決定し、前記方式検出手段が検出した記録方式が複数存在する場合には、前記第１データ検出手段が検出したデータの記録方式を、前記記録手段がデータを記録する際の記録方式として決定する第１方式決定手段と、
を備える、ことを特徴とするデータ記録装置として機能させるためのプログラムを記録したコンピュータ読み取り可能な記録媒体。
【請求項６】
コンピュータを、
使用可能な複数の記録方式を有し、複数の記録方式の内の１つで所定のデータを所定の記録媒体に記録する記録手段と、
データの記録先である記録媒体に既に記録されているデータに関する情報を用いて、前記記録手段が用いる記録方式を設定する設定手段と、から構成され、
前記設定手段は、データの記録先である記録媒体に既に記録されているデータについて、同一の記録方式で記録されたデータの数を計数する計数手段と、
前記計数手段の計数結果から、データの数が最も多い記録方式を検出する方式検出手段と、
データの記録先である記録媒体に既に記録されている全てのデータの中から、記録日時が最も新しいデータを検出する第２データ検出手段と、
前記方式検出手段が検出した記録方式が単数存在する場合には、前記方式検出手段が検出した記録方式を、前記記録手段がデータを記録する際の記録方式として決定し、前記方式検出手段が検出した記録方式が複数存在する場合には、前記第２データ検出手段が検出したデータの記録方式を、前記記録手段がデータを記録する際の記録方式として決定する第２方式決定手段と、
を備える、ことを特徴とするデータ記録装置として機能させるためのプログラムを記録したコンピュータ読み取り可能な記録媒体。
【発明の詳細な説明】
【０００１】
【発明の属する技術分野】
本発明は、データを所定の記録媒体に記録するデータ記録装置及びデータ記録方法に関する。また、本発明は、データを所定の記録媒体に記録するためのプログラムを記録した記録媒体に関する。
【０００２】
【従来の技術】
ＭＤ（Mini Disc ）等の記録媒体にデータを記録するデータ記録装置の中には、例えばデータの圧縮度が異なる複数の記録モード（記録方式）を有するものがある。このようなデータ記録装置は、ユーザ等により予め設定された記録モードでデータを所定の記録媒体に記録している。
【０００３】
【発明が解決しようとする課題】
上記したように、従来のデータ記録装置は、予め設定された記録モードでデータを記録媒体に記録する。このため、例えば、既に複数のデータが記録されている記録媒体に１つのデータを新たに記録する場合、新たなデータを既に記録されているデータとは異なる記録モードで記録してしまう場合がある。また、１つの記録媒体に様々な記録モードでデータが記録されてしまう場合がある。
【０００４】
以上のように、従来のデータ記録装置を用いてデータを記録すると、記録されるデータの記録モードが統一されない。
また、データの記録モードを統一するためには、データ記録装置の利用者は、データを記録する度に記録モードを確認して設定し直さなければならない。
以上のように、従来のデータ記録装置は、データを記録するための操作が煩雑になってしまうという問題がある。
【０００５】
従って、本発明は、データを記録するための操作が容易なデータ記録装置を提供することを目的とする。また、本発明は、データを記録するための操作を容易にするデータ記録方法を提供することを目的とする。さらに、本発明は、データを記録するための操作を容易にするためのプログラムを記録した記録媒体を提供することを目的とする。
【０００６】
【課題を解決するための手段】
上記目的を達成するために、本発明の第１の観点にかかるデータ記録装置は、使用可能な複数の記録方式を有し、複数の記録方式の内の１つで所定のデータを所定の記録媒体に記録する記録手段と、データの記録先である記録媒体に既に記録されているデータに関する情報を用いて、前記記録手段が用いる記録方式を設定する設定手段と、から構成され、前記設定手段は、データの記録先である記録媒体に既に記録されているデータについて、同一の記録方式で記録されたデータの数を計数する計数手段と、前記計数手段の計数結果から、データの数が最も多い記録方式を検出する方式検出手段と、前記方式検出手段が検出した記録方式で記録されたデータの中から、記録日時が最も新しいデータを検出する第１データ検出手段と、前記方式検出手段が検出した記録方式が単数存在する場合には、前記方式検出手段が検出した記録方式を、前記記録手段がデータを記録する際の記録方式として決定し、前記方式検出手段が検出した記録方式が複数存在する場合には、前記第１データ検出手段が検出したデータの記録方式を、前記記録手段がデータを記録する際の記録方式として決定する第１方式決定手段と、を備える、ことを特徴とする。この発明によれば、データを記録するための操作を容易に行うことができる。
【０００８】
上記目的を達成するために、本発明の第２の観点にかかるデータ記録装置は、使用可能な複数の記録方式を有し、複数の記録方式の内の１つで所定のデータを所定の記録媒体に記録する記録手段と、データの記録先である記録媒体に既に記録されているデータに関する情報を用いて、前記記録手段が用いる記録方式を設定する設定手段と、から構成され、前記設定手段は、データの記録先である記録媒体に既に記録されているデータについて、同一の記録方式で記録されたデータの数を計数する計数手段と、前記計数手段の計数結果から、データの数が最も多い記録方式を検出する方式検出手段と、データの記録先である記録媒体に既に記録されている全てのデータの中から、記録日時が最も新しいデータを検出する第２データ検出手段と、前記方式検出手段が検出した記録方式が単数存在する場合には、前記方式検出手段が検出した記録方式を、前記記録手段がデータを記録する際の記録方式として決定し、前記方式検出手段が検出した記録方式が複数存在する場合には、前記第２データ検出手段が検出したデータの記録方式を、前記記録手段がデータを記録する際の記録方式として決定する第２方式決定手段と、を備える、ことを特徴とする。
【００１１】
本発明の第３の観点にかかるデータ記録方法は、使用可能な複数の記録方式を有し、複数の記録方式の内の１つで所定のデータを所定の記録媒体に記録する記録工程と、データの記録先である記録媒体に既に記録されているデータに関する情報を用いて、前記記録工程で用いる記録方式を設定する設定工程と、を備え、前記設定工程は、データの記録先である記録媒体に既に記録されているデータについて、同一の記録方式で記録されたデータの数を計数する計数工程と、前記計数工程の計数結果から、データの数が最も多い記録方式を検出する方式検出工程と、前記方式検出工程で検出した記録方式で記録されたデータの中から、記録日時が最も新しいデータを検出する第１データ検出工程と、前記方式検出工程で検出した記録方式が単数存在する場合には、前記方式検出工程で検出した記録方式を、前記記録工程でデータを記録する際の記録方式として決定し、前記方式検出工程で検出した記録方式が複数存在する場合には、前記第１データ検出工程で検出したデータの記録方式を、前記記録工程でデータを記録する際の記録方式として決定する第１方式決定工程と、を備える、ことを特徴とする。
【００１３】
本発明の第４の観点にかかるデータ記録方法は、使用可能な複数の記録方式を有し、複数の記録方式の内の１つで所定のデータを所定の記録媒体に記録する記録工程と、
データの記録先である記録媒体に既に記録されているデータに関する情報を用いて、前記記録工程で用いる記録方式を設定する設定工程と、
を備え、
前記設定工程は、
データの記録先である記録媒体に既に記録されているデータについて、同一の記録方式で記録されたデータの数を計数する計数工程と、
前記計数工程の計数結果から、データの数が最も多い記録方式を検出する方式検出工程と、
データの記録先である記録媒体に既に記録されている全てのデータの中から、記録日時が最も新しいデータを検出する第２データ検出工程と、
前記方式検出工程で検出した記録方式が単数存在する場合には、前記方式検出工程で検出した記録方式を、前記記録工程でデータを記録する際の記録方式として決定し、前記方式検出工程で検出した記録方式が複数存在する場合には、前記第２データ検出工程で検出したデータの記録方式を、前記記録工程でデータを記録する際の記録方式として決定する第２方式決定工程と、
を備える、ことを特徴とする。
【００１４】
本発明の第５の観点にかかるコンピュータ読み取り可能な記録媒体は、コンピュータを、使用可能な複数の記録方式を有し、複数の記録方式の内の１つで所定のデータを所定の記録媒体に記録する記録手段と、データの記録先である記録媒体に既に記録されているデータに関する情報を用いて、前記記録手段が用いる記録方式を設定する設定手段と、から構成され、前記設定手段は、データの記録先である記録媒体に既に記録されているデータについて、同一の記録方式で記録されたデータの数を計数する計数手段と、前記計数手段の計数結果から、データの数が最も多い記録方式を検出する方式検出手段と、前記方式検出手段が検出した記録方式で記録されたデータの中から、記録日時が最も新しいデータを検出する第１データ検出手段と、前記方式検出手段が検出した記録方式が単数存在する場合には、前記方式検出手段が検出した記録方式を、前記記録手段がデータを記録する際の記録方式として決定し、前記方式検出手段が検出した記録方式が複数存在する場合には、前記第１データ検出手段が検出したデータの記録方式を、前記記録手段がデータを記録する際の記録方式として決定する第１方式決定手段と、を備える、ことを特徴とするデータ記録装置として機能させるためのプログラムを記録している。
【００１６】
本発明の第６の観点にかかるコンピュータ読み取り可能な記録媒体は、コンピュータを、使用可能な複数の記録方式を有し、複数の記録方式の内の１つで所定のデータを所定の記録媒体に記録する記録手段と、データの記録先である記録媒体に既に記録されているデータに関する情報を用いて、前記記録手段が用いる記録方式を設定する設定手段と、から構成され、前記設定手段は、データの記録先である記録媒体に既に記録されているデータについて、同一の記録方式で記録されたデータの数を計数する計数手段と、前記計数手段の計数結果から、データの数が最も多い記録方式を検出する方式検出手段と、データの記録先である記録媒体に既に記録されている全てのデータの中から、記録日時が最も新しいデータを検出する第２データ検出手段と、前記方式検出手段が検出した記録方式が単数存在する場合には、前記方式検出手段が検出した記録方式を、前記記録手段がデータを記録する際の記録方式として決定し、前記方式検出手段が検出した記録方式が複数存在する場合には、前記第２データ検出手段が検出したデータの記録方式を、前記記録手段がデータを記録する際の記録方式として決定する第２方式決定手段と、を備える、ことを特徴とするデータ記録装置として機能させるためのプログラムを記録している。
【００１７】
【発明の実施の形態】
次に、本発明の実施の形態にかかる記録装置について図面を参照して説明する。
本発明の実施の形態にかかる記録装置は、図１に示すように、入力機器１と、記録部２と、メモリ３と、操作部４と、表示部５と、制御部６と、から構成されている。
【００１８】
入力機器１は、ＣＤ（Compact Disc）プレーヤ等であり、記録対象のデータを再生して記録部２に供給（入力）する。
【００１９】
記録部２は、データの記録先であるＭＤ（Mini Disc ）を収納する。また、記録部２は、ＭＤに記録されているＵＴＯＣ（User Table Of Contents）情報を再生し、制御部６に出力する。なお、ＵＴＯＣ情報は、記録されているデータの数（トラック数）、記録されている全データを再生するのに要するトータル再生時間、各データの記録モード、及び、各データの記録日時等を示す情報である。また、記録部２は、入力機器１に接続され、入力機器１から供給されるデータを収納したＭＤに記録する。
【００２０】
メモリ３は、記録装置が所定動作を行うのに必要なプログラムやデータ等を記憶する。例えば、メモリ３は、記録部２が使用可能な記録モードを示すモード情報を記憶する。記録部２が使用可能な記録モードは、例えばATRAC STEREO、ATRAC MONO、ATRAC3 LP2、ATRAC3 LP4等のデータの圧縮度が異なる複数の記録モードである。また、メモリ３は、記録部２が再生したＵＴＯＣ情報を記憶する。
【００２１】
操作部４は、複数の操作ボタン等を備え、記録装置の利用者により操作される。操作部４は、利用者の操作に従って、最適の記録モードでデータを記録することを指示するデータ記録信号を制御部６に出力する。
表示部５は、液晶パネル等を備え、記録装置の動作状況等を所定の文字列やマーク等により表示する。
【００２２】
制御部６は、記録装置を構成する上記各部の動作を制御し、最適の記録モードで所定のデータをＭＤに記録する。例えば、制御部６は、記録部２から供給されるＵＴＯＣ情報をメモリ３に一旦記憶させる。そして、制御部６は、操作部４から供給されるデータ記録信号に応答して、メモリ３のモード情報及びＵＴＯＣ情報を用いて記録モードを設定し、設定した記録モードでデータをＭＤに記録する。
【００２３】
次に、以上のように構成された記録装置の動作について説明する。
始めに、記録装置の利用者は、記録対象のデータをＭＤに記録するため、記録対象のデータを記録したＣＤ等を記録装置の入力機器１にセットし、データの記録先であるＭＤを記録部２にセットする。
【００２４】
記録装置の記録部２は、利用者によりＭＤがセットされると、このＭＤに記録されているＵＴＯＣ（User Table Of Contents）情報を再生し、制御部６に出力する。
制御部６は、記録部２から供給されるＵＴＯＣ情報をメモリ３に一旦記憶させる。
【００２５】
また、記録装置の利用者は、最適な記録モードで所定のデータをＭＤに記録するため、操作部４が備える所定の操作ボタンを押下する。これにより、操作部４は、最適な記録モードでデータを記録することを指示するデータ記録信号を制御部６に出力する。
【００２６】
制御部６は、操作部４から供給されるデータ記録信号に応答して、図２に示すデータ記録処理を開始する。
始めに、制御部６は、メモリ３に記憶させたＵＴＯＣ情報から、記録部２にセットされたＭＤに既に記録されたデータが存在するか否かを判別する（ステップＳ１０１）。
【００２７】
ＭＤに記録されたデータが存在しないと判別した場合（ステップＳ１０１；ＮＯ）、制御部６は、第１の記録モード設定処理を行い（ステップＳ１０２）、入力機器１から供給される新たなデータを記録するための記録モードを設定する。そして、制御部６は、後述するステップＳ１０８の処理を行う。なお、第１の記録モード設定処理の詳しい処理については後述する。
【００２８】
一方、ＭＤに記録されたデータが存在すると判別した場合（ステップＳ１０１；ＹＥＳ）、制御部６は、メモリ３のモード情報及びＵＴＯＣ情報を用いて計数処理を行い（ステップＳ１０３）、同一の記録モードで記録されているデータの数を計数する。これにより、制御部６は、記録モード毎にデータの数を計数する。なお、計数処理の詳しい処理については後述する。
【００２９】
その後、制御部６は、データの数が最も多い記録モードを検出する（ステップＳ１０４）。
そして、制御部６は、検出した記録モードが１つであるか否かを判別する（ステップ１０５）。
【００３０】
検出した記録モードは１つでないと判別した場合（ステップＳ１０５；ＮＯ）、制御部６は、第２の記録モード設定処理を行い（ステップＳ１０６）、入力機器１から供給される新たなデータを記録するための記録モードを設定する。そして、制御部６は、後述するステップＳ１０８の処理を行う。なお、第２の記録モード設定処理の詳しい処理については後述する。
【００３１】
一方、検出した記録モードは１つであると判別した場合（ステップＳ１０５；ＹＥＳ）、制御部６は、ステップＳ１０４で検出した記録モードを、入力機器１から供給される新たなデータを記録するための記録モードとして設定する（ステップＳ１０７）。
【００３２】
そして、制御部６は、入力機器１及び記録部２を制御し、設定した記録モードでデータをＭＤに記録する（ステップＳ１０８）。この際、制御部６は、表示部５を制御して実行している記録モードを表示し、どの記録モードでデータを記録しているのかを利用者に提示してもよい。
【００３３】
以上で制御部６が行うデータ記録処理が終了する。
以上のようにして、最適な記録モードで新たなデータをＭＤに記録することができる。
【００３４】
次に、制御部６が行う上記計数処理について説明する。
図３は、制御部６が行う計数処理を示すフローチャートである。
始めに、制御部６は、メモリ３のＵＴＯＣ情報から、ＭＤに記録されているデータの内の１つ、具体的には、ｉ番目のトラックに記録されているデータがどの記録モードで記録されたかを判別する（ステップＳ２０１）。例えば、制御部６は、トラック番号（ＴＮＯ）が１に記録されているデータがどの記録モードで記録されたかを判別する。
【００３５】
そして、制御部６は、ステップＳ２０１で判別した記録モードで記録されたデータの数をカウントする（ステップＳ２０２）。例えば、制御部６は、記録モード毎にカウンタを予め用意し、ステップＳ２０１で判別した記録モードのカウント値を１つインクリメントする。
その後、制御部６は、判別対象であるデータが記録されているトラック番号（ｉ）を１増加させる（ステップＳ２０３）。
【００３６】
そして、制御部６は、増加させたトラック番号（ｉ）がＵＴＯＣ情報が示すトラック数、即ち、ＭＤに記録されているデータの数（最大のトラック番号）よりも大きいか否かを判別する（ステップＳ２０４）。これにより、制御部６は、ＭＤに記録されている全てのデータについて記録モードの判別を行ったか否かを判別する。
【００３７】
最大のトラック番号より大きくない、即ち、全てのデータについて記録モードの判別を行っていないと判別した場合（ステップＳ２０４；ＮＯ）、制御部６は、ステップＳ２０１にリターンする。
【００３８】
一方、最大のトラック番号より大きい、即ち、全てのデータについて記録モードの判別を行ったと判別した場合（ステップＳ２０４；ＹＥＳ）、制御部６は、上記ステップＳ１０４の処理を行う。
以上のようにして、ＭＤに記録されているデータについて、記録モード毎にデータの数が計数される。
【００３９】
次に、記録部２にセットされたＭＤにデータが１つも記録されていない場合に制御部６が行う上記第１の記録モード設定処理について説明する。
第１の記録モード設定処理において、制御部６は、以下に示す（ａ）及び（ｂ）の何れかの処理を行う。なお、制御部６がどちらの処理を実行するかは、記録装置の利用者等により予め設定されている。
【００４０】
（ａ）記録モード変更なし
この処理では、制御部６は、前回のデータ記録処理で設定した記録モードを変更しない。そして、制御部６は、前回のデータ記録処理で設定した記録モードを、今回のデータ記録処理でデータを記録する際の記録モードとして設定し、上記したステップＳ１０８の処理を行う。
【００４１】
（ｂ）利用者が記録モードを設定
この処理では、制御部６は、図４に示すフローチャートに従って処理を行う。始めに、制御部６は、メモリ３が記憶しているモード情報を取得する。そして、制御部６は、表示部５を制御し、記録部２が使用可能な記録モードと共に、記録モードの設定を促すメッセージ等を表示する（ステップＳ３０１）。
【００４２】
記録装置の利用者は、表示部５が表示するメッセージに応じて、操作部４を所定の手順で操作し、新たなデータを記録する際の記録モードを選択する。これにより、記録装置の操作部４は、利用者が選択した記録モードを示すモード信号を制御部６に出力する。
【００４３】
制御部６は、操作部４から供給されるモード信号が示す記録モードを新たなデータを記録する際の記録モードとして設定し（ステップＳ３０２）、上記したステップＳ１０８の処理を行う。
以上の（ａ）又は（ｂ）の処理により、ＭＤにデータが１つも記録されていない場合の記録モードが設定される。
【００４４】
次に、データ数が最大の記録モードが複数存在する場合に制御部６が行う上記第２の記録モード設定処理について説明する。
第２の記録モード設定処理において、制御部６は、上記した（ｂ）及び以下に示す（ｃ）、（ｄ）の内の何れかの処理を行う。なお、制御部６がどの処理を実行するかは、記録装置の利用者等により予め設定されている。
【００４５】
（ｃ）データ数が最大である複数の記録モードの内、記録日時が最も新しいデータの記録モードを選択
この処理では、制御部６は、図５に示すフローチャートに従って処理を行う。
【００４６】
始めに、制御部６は、データ数が最大の記録モードが複数存在した場合、これらの記録モードで記録されたデータの内、最も遅い（新しい）日時に記録されたデータを検出する（ステップＳ４０１）。具体的には、制御部６は、メモリ３のＵＴＯＣ情報が示すデータの記録日時から、最も遅い日時に記録されたデータを検出する。
【００４７】
続いて、制御部６は、ＵＴＯＣ情報から、検出したデータの記録モードを判別する（ステップＳ４０２）。
そして、制御部６は、ステップＳ４０２で判別した記録モードを、入力機器１から供給される新たなデータを記録する際の記録モードとして設定し（ステップＳ４０３）、上記したステップＳ１０８の処理を行う。
【００４８】
（ｄ）ＭＤに記録されている全データの内、記録日時が最も新しいデータの記録モードを選択
この処理では、制御部６は、図６に示すフローチャートに従って処理を行う。
【００４９】
始めに、制御部６は、記録部２にセットされたＭＤに記録されている全てのデータの内、最も遅い日時に記録されたデータを検出する（ステップＳ５０１）。具体的には、制御部６は、メモリ３のＵＴＯＣ情報が示すデータの記録日時から、最も遅い日時に記録されたデータを検出する。
続いて、制御部６は、ＵＴＯＣ情報から、検出したデータの記録モードを判別する（ステップＳ５０２）。
【００５０】
そして、制御部６は、ステップＳ５０２で判別した記録モードを、入力機器１から供給される新たなデータを記録する際の記録モードとして設定し（ステップＳ５０３）、上記したステップＳ１０８の処理を行う。
以上の（ｂ）、（ｃ）、及び、（ｄ）の何れかの処理により、データ数が最大の記録モードが複数存在した場合の記録モードが設定される。
【００５１】
（具体例）
次に、具体例により上記した記録装置の動作を説明する。
１．具体例１
始めに、記録部２にセットされたＭＤに複数のデータが既に記録されている場合について説明する。なお、データ数が最大の記録モードは１つであるとする。
【００５２】
始めに、記録装置の利用者は、記録対象のデータをＭＤに記録するため、記録対象のデータを記録したＣＤ等を記録装置の入力機器１にセットし、データの記録先であるＭＤを記録部２にセットする。
【００５３】
記録装置の記録部２は、利用者によりＭＤがセットされると、このＭＤに記録されているＵＴＯＣ（User Table Of Contents）情報を再生し、制御部６に出力する。なお、ＭＤには、図７（ａ）に示すＵＴＯＣ情報が記録されている。図７（ａ）に示すように、ＭＤには５つのデータが既に記録されている。
【００５４】
制御部６は、記録部２から供給されるＵＴＯＣ情報をメモリ３に一旦記憶させる。
また、記録装置の利用者は、最適な記録モードで所定のデータをＭＤに記録するため、記録装置の操作部４が備える所定の操作ボタンを押下する。これにより、操作部４は、最適な記録モードでデータを記録することを指示するデータ記録信号を制御部６に出力する。
【００５５】
制御部６は、操作部４から供給されるデータ記録信号に応答して、図２に示すデータ記録処理を開始する。
始めに、制御部６は、メモリ３に記憶させたＵＴＯＣ情報から、記録部２にセットされたＭＤに既に記録されたデータが存在するか否かを判別する（ステップＳ１０１）。
【００５６】
この場合、制御部６は、ＭＤに記録されたデータが存在すると判別し（ステップＳ１０１；ＹＥＳ）、メモリ３のモード情報及びＵＴＯＣ情報を用いて図３の計数処理を行う（ステップＳ１０３）。
【００５７】
具体的には、制御部６は、始めに、メモリ３のＵＴＯＣ情報から、ＭＤに記録されているデータの内の１つ、具体的には、トラック１に記録されているデータがどの記録モードで記録されたかを判別する（ステップＳ２０１）。この場合、制御部６は、トラック１に記録されているデータは記録モードＡで記録されたと判別する。
【００５８】
そして、制御部６は、記録モードＡで記録されたデータの数をカウントする（ステップＳ２０２）。例えば、制御部６は、記録モード毎にカウンタを予め用意し、ステップＳ２０１で判別した記録モードのカウント値を１つインクリメントする。
【００５９】
その後、制御部６は、判別対象であるデータが記録されているトラック番号（ｉ）を１増加させる（ステップＳ２０３）。
そして、制御部６は、増加させたトラック番号（ｉ＝２）がＵＴＯＣ情報が示すトラック数、即ち、５よりも大きいか否かを判別する（ステップＳ２０４）。
【００６０】
この場合、制御部６は、最大のトラック番号より大きくない、即ち、全てのデータについて記録モードの判別を行っていないと判別し（ステップＳ２０４；ＮＯ）、制御部６は、ステップＳ２０１にリターンする。
【００６１】
そして、制御部６は、上記処理をＭＤに記録されている５つのデータについて行った後、上記ステップＳ２０３の処理で、増加させたトラック番号は最大のトラック番号より大きいと判別する（ステップＳ２０４；ＹＥＳ）。
【００６２】
以上でステップＳ１０３の計数処理が終了し、記録モードＡで記録されたデータの数が２、記録モードＢで記録されたデータの数が３と計数される。そして、制御部６は、ステップＳ１０４の処理を行う。
【００６３】
制御部６は、上記計数処理の計数結果からデータの数が最も多い記録モードを検出する（ステップＳ１０４）。この場合、制御部６は、データ数が最大の記録モードとして記録モードＢを検出する。
そして、制御部６は、検出した記録モードが１つであるか否かを判別する（ステップ１０５）。
【００６４】
この場合、制御部６は、検出した記録モードは１つであると判別し（ステップＳ１０５；ＹＥＳ）、ステップＳ１０４で検出した記録モードＢを、入力機器１から供給される新たなデータを記録するための記録モードとして設定する（ステップＳ１０７）。
【００６５】
そして、制御部６は、入力機器１及び記録部２を制御し、記録モードＢでデータをＭＤに記録する（ステップＳ１０８）。この際、制御部６は、表示部５を制御して実行している記録モードを表示し、どの記録モードでデータを記録しているのかを利用者に提示してもよい。
以上で制御部６が行うデータ記録処理が終了する。
【００６６】
以上のようにして、新たなデータを記録する際の記録モードを、同一の記録モードで記録されているデータの数から容易に設定することができる。また、これにより、ＭＤに記録されるデータの記録モードを統一することができる。
【００６７】
２．具体例２
次に、記録部２にセットされたＭＤに複数のデータが既に記録されている場合について説明する。なお、データ数が最大の記録モードは複数であるとする。
【００６８】
始めに、記録装置の利用者は、上記と同様に、記録対象のデータを記録したＣＤ等を記録装置の入力機器１にセットし、データの記録先であるＭＤを記録部２にセットする。
【００６９】
記録装置の記録部２は、利用者によりセットされたＭＤに記録されているＵＴＯＣ（User Table Of Contents）情報を再生し、制御部６に出力する。なお、ＭＤには、図７（ｂ）に示すＵＴＯＣ情報が記録されている。図７（ｂ）に示すように、ＭＤには７つのデータが既に記録されている。
【００７０】
制御部６は、記録部２から供給されるＵＴＯＣ情報をメモリ３に一旦記憶させる。
そして、記録装置の利用者は、上記と同様に、最適な記録モードで所定のデータをＭＤに記録するため、操作部４が備える所定の操作ボタンを押下する。これにより、操作部４は、上記データ記録信号を制御部６に出力する。
【００７１】
制御部６は、操作部４から供給されるデータ記録信号に応答して、図２に示すデータ記録処理を開始する。
始めに、制御部６は、メモリ３に記憶させたＵＴＯＣ情報から、記録部２にセットされたＭＤに既に記録されたデータが存在するか否かを判別する（ステップＳ１０１）。
【００７２】
この場合、制御部６は、ＭＤに記録されたデータが存在すると判別し（ステップＳ１０１；ＹＥＳ）、メモリ３のモード情報及びＵＴＯＣ情報を用いて上記と同様に図３の計数処理を行う（ステップＳ１０３）。この計数処理により、制御部６は、ＭＤに記録されている７つのデータについて記録モードを判別し、記録モード毎にデータの数を計数する。これにより、記録モードＡで記録されたデータの数が３、記録モードＢで記録されたデータの数が３、記録モードＣで記録されたデータが１と計数される。そして、制御部６は、ステップＳ１０４の処理を行う。
【００７３】
制御部６は、上記計数処理の計数結果からデータの数が最も多い記録モードを検出する（ステップＳ１０４）。この場合、制御部６は、データ数が最大の記録モードとして記録モードＡ及び記録モードＢを検出する。
【００７４】
そして、制御部６は、検出した記録モードが１つであるか否かを判別する（ステップ１０５）。
この場合、制御部６は、検出した記録モードは１つでないと判別し（ステップＳ１０５；ＮＯ）、第２の記録モード設定処理を行う（ステップＳ１０６）。
【００７５】
（１）第２の記録モード設定処理が上記した（ｃ）（図５）に予め設定されている場合
始めに、制御部６は、データ数が最大の記録モードＡ又は記録モードＢで記録されたデータの内、最も遅い日時に記録されたデータを検出する（ステップＳ４０１）。この場合、図７（ｂ）に示すように、制御部６は、トラック６に記録されているデータを検出する。
【００７６】
続いて、制御部６は、ＵＴＯＣ情報から、検出したデータの記録モードを判別する（ステップＳ４０２）。この場合、制御部６は、検出したデータの記録モードは記録モードＡであると判別する。
【００７７】
そして、制御部６は、記録モードＡを、入力機器１から供給される新たなデータを記録する際の記録モードとして設定する（ステップＳ４０３）。
その後、制御部６は、入力機器１及び記録部２を制御し、記録モードＡでデータをＭＤに記録し（ステップＳ１０８）、データ記録処理を終了する。
【００７８】
（２）第２の記録モード設定処理が上記した（ｄ）（図６）に予め設定されている場合
始めに、制御部６は、記録部２にセットされたＭＤに記録されている全てのデータの内、最も遅い日時に記録されたデータを検出する（ステップＳ５０１）。この場合、図７（ｂ）に示すように、制御部６は、トラック７に記憶されているデータを検出する。
【００７９】
続いて、制御部６は、ＵＴＯＣ情報から、検出したデータの記録モードを判別する（ステップＳ５０２）。この場合、制御部６は、検出したデータの記録モードは記録モードＣであると判別する。
そして、制御部６は、記録モードＣを、入力機器１から供給される新たなデータを記録する際の記録モードとして設定する（ステップＳ５０３）。
【００８０】
その後、制御部６は、入力機器１及び記録部２を制御し、記録モードＣでデータをＭＤに記録し（ステップＳ１０８）、データ記録処理を終了する。
以上のようにして、新たなデータを記録する際の記録モードを、既に記録されているデータの記録日時から容易に設定することができる。また、これにより、ＭＤに記録されるデータの記録モードを統一することができる。
【００８１】
３．具体例３
次に、記録部２にセットされたＭＤに１つもデータが記録されていない場合について説明する。
【００８２】
始めに、記録装置の利用者は、上記と同様に、記録対象のデータを記録したＣＤ等を記録装置の入力機器１にセットし、データの記録先であるＭＤを記録部２にセットする。
【００８３】
記録装置の記録部２は、利用者によりセットされたＭＤに記録されているＵＴＯＣ（User Table Of Contents）情報を再生し、制御部６に出力する。
制御部６は、記録部２から供給されるＵＴＯＣ情報をメモリ３に一旦記憶させる。この場合、ＵＴＯＣ情報には、記録されているデータの数がゼロであることが記録されている。
【００８４】
そして、記録装置の利用者は、上記と同様に、最適な記録モードで所定のデータをＭＤに記録するため、操作部４が備える所定の操作ボタンを押下する。これにより、操作部４は、上記データ記録信号を制御部６に出力する。
制御部６は、操作部４から供給されるデータ記録信号に応答して、図２に示すデータ記録処理を開始する。
【００８５】
始めに、制御部６は、メモリ３に記憶させたＵＴＯＣ情報から、記録部２にセットされたＭＤに既に記録されたデータが存在するか否かを判別する（ステップＳ１０１）。
【００８６】
この場合、制御部６は、ＭＤに記録されたデータが存在しないと判別し（ステップＳ１０１；ＮＯ）、第１の記録モード設定処理を行う（ステップＳ１０２）。なお、制御部６は、上記（ｂ）（図４）に示した第１の記録モード設定処理を行うように予め設定されている。
【００８７】
始めに、制御部６は、メモリ３が記憶しているモード情報を取得する。そして、制御部６は、表示部５を制御し、記録部２が使用可能な記録モードを表示すると共に、記録モードの設定を促すメッセージ等を表示する（ステップＳ３０１）。例えば、制御部６は、「記録モードを、記録モードＡ、Ｂ、Ｃ、Ｄの中から選択して下さい。」等のメッセージを表示部５に表示する。
【００８８】
記録装置の利用者は、表示部５が表示するメッセージに応じて、操作部４を所定の手順で操作し、例えば記録モードＡを選択する。これにより、記録装置の操作部４は、利用者が選択した記録モードＡを示すモード信号を制御部６に出力する。
【００８９】
制御部６は、操作部４から供給されるモード信号が示す記録モードＡを新たなデータを記録する際の記録モードとして設定する（ステップＳ３０２）。
その後、制御部６は、入力機器１及び記録部２を制御し、記録モードＡでデータをＭＤに記録し（ステップＳ１０８）、データ記録処理を終了する。
【００９０】
以上のようにして、ＭＤに１つもデータが記録されていない場合は、記録装置の利用者が記録モードを設定することができる。また、次回以降に行われるデータの記録では、上記したように、データの数やデータの記録日時から記録モードを容易に設定することができる。これにより、ＭＤに記録されるデータの記録モードを統一することができる。
【００９１】
また、以上のように、既に記録されているデータの記録モードに従って新たなデータを記録する際の記録モードを設定するので、高圧縮のみでデータを記録した外出用の記録媒体、低圧縮のみでデータを記録した保存用の記録媒体等のように記録媒体を使い分けたい利用者にとって、上記記録装置は非常に使い勝手がよい。
【００９２】
なお、制御部６が行う上記第１の記録モード設定処理及び第２の記録モード設定処理は、記録装置の利用者等により予め設定されているとしたが、それぞれ第１の記録モード設定処理及び第２の記録モード設定処理を行う直前に利用者に設定させてもよい。例えば、制御部６は、表示部５を制御し、第１の記録モード設定処理、又は、第２の記録モード設定処理の設定を促すメッセージ等を表示して、利用者に各処理を設定させてもよい。
【００９３】
また、データ数が最大の記録モードが複数存在した場合、制御部６は、上記（ａ）の処理を第２の記録モード設定処理として行い、記録モードを変更しなくてもよい。
【００９４】
また、上記実施の形態では、ＭＤにデータを記録する場合について説明したが、データの記録先となる記録媒体は、複数の記録モード（記録方式）でデータを記録可能なものであればなんでもよい。例えば、メモリースティック（商標）等の半導体メモリであってもよい。
【００９５】
また、入力機器１は、ＣＤプレーヤ等のように、記録媒体に記録されているデータを再生する再生装置でなく、マイクロフォン等であってもよい。
【００９６】
また、本発明の装置は、専用の装置を用いる必要はなく、通常のコンピュータにより実現することができる。例えば、コンピュータに上記した各処理を実行させるためのプログラム及びデータを記録媒体（フロッピーディスク、ＣＤ−ＲＯＭ等）に記録して配布し、これをインストールしてＯＳ上で実行することによりこの発明の装置を実現できる。
また、プログラム及びデータの配布は、ＣＤ−ＲＯＭ等に限らず、通信回線等を介して行われてもよい。
【００９７】
【発明の効果】
以上の説明から明らかなように、本発明によって、容易な操作でデータを記録することができる。
【図面の簡単な説明】
【図１】本発明の実施の形態にかかる記録装置の構成図である。
【図２】図１の記録装置を構成する制御部が行うデータ記録処理を示すフローチャートである。
【図３】図２に示すデータ記録処理の計数処理を示すフローチャートである。
【図４】図２に示すデータ記録処理の第１の記録モード設定処理を示すフローチャートである。
【図５】図２に示すデータ記録処理の第２の記録モード設定処理を示すフローチャートである。
【図６】図２に示すデータ記録処理の第２の記録モード設定処理を示すフローチャートである。
【図７】メモリが記憶するＵＴＯＣ情報の具体例を示す図である。
【符号の説明】
１  入力機器
２  記録部
３  メモリ
４  操作部
５  表示部
６  制御部
【図１】
0003887528.tif 000002
【図２】
0003887528.tif 000003
【図３】
0003887528.tif 000004
【図４】
0003887528.tif 000005
【図５】
0003887528.tif 000006
【図６】
0003887528.tif 000007
【図７】
0003887528.tif 000008